(57)【要約】【課題】  折板屋根に太陽電池モジュール等を設置するに用いる折板屋根用の連結金具を優れた強度を備えて使い勝手の良いものとする。【解決手段】  連結金具Ａを一対の金具本体１、接続プレート６、Ｕボルト７、上向きボルト８を備えて形成するとともに金具本体１を、底板２、傾斜した対向側板３、天板４を備えてアルミ合金によって鋳造成形した正面台形をなすボックス状一体のものとして形成する。このとき、該金具本体１を同一形状に鋳造成形することによって左右勝手をなくして共通部材として使用できるようにする。接続プレート６に上向きボルトを起立し、一対の金具本体１をＵボルト７で一体化して、該一対の金具本体１で折板屋根Ｂのハゼ継ぎ部Ｂ１を挟持するように用いる。【選択図】  図１
2012122240.tif 000002
【特許請求の範囲】
【請求項１】
折板屋根のハゼ継ぎ部に設置して該折板屋根に載置物を固定するに用いる連結金具であって、該連結金具を、相互に突合せ配置して上記ハゼ継ぎ部をその交差方向に挟持する一対の金具本体と、該金具本体を上記ハゼ継ぎ部交差方向に接続する接続プレートと、該一対の金具本体をハゼ継ぎ部交差方向にナット締着するＵボルト又は一対のボルトと、上記載置物を締着するように一対の金具本体から上方に突出配置した上向きボルトを備えて形成するとともに上記一対の金具本体を、折板屋根のハゼ継ぎ部に平行な平坦部に載置する底板と、該底板から上方に起立した対向側板と、該対向側板をその上端で接続し突合せ配置により上向きボルトを挿通する半円孔を有する天板を備え、上記対向側板にハゼ継ぎ部の切欠部と該切欠部下位のハゼ継ぎ部に対接する係合突起を、上記対向側板の内面上方にハゼ継ぎ部交差方向に貫通する一対のボルト挿通孔を、上記天板の下面に上記接続プレートを受入れる対向突条と該対向突条の下位に該接続プレートを貫通してその下位に配置した上記上向きボルトのボルト頭を下支えする支持板とにより中空に形成した中空支持部をそれぞれ配置して、金属の鋳造成形によってボックス状一体に形成してなることを特徴とする折板屋根用連結金具。
【請求項２】
上記一対の金具本体を、同一形状の単一部材によって形成することによって共通部材としてなることを特徴とする請求項１に記載の折板屋根用連結金具。
【請求項３】
折板屋根のハゼ継ぎ部に設置して該折板屋根に載置物を固定するに用いる連結金具であって、該連結金具を、相互に突合せ配置して上記ハゼ継ぎ部をその交差方向に挟持する一対の金具本体と、該一対の金具本体をハゼ継ぎ部交差方向にナット締着するＵボルト又は一対のボルトと、上記載置物を締着するように一対の金具本体から上方に突出配置した上向きボルトを備えて形成するとともに上記一対の金具本体を、折板屋根のハゼ継ぎ部に平行な平坦部に載置する底板と、該底板から上方に起立した対向側板と、該対向側板をその上端で接続し突合せ配置により上向きボルトを挿通する半円孔を有する天板を備え、上記対向側板にハゼ継ぎ部の切欠部と該切欠部下位のハゼ継ぎ部の凹陥溝に挿入係合する係合突起を、上記対向側板の内面上方にハゼ継ぎ部交差方向に貫通する一対のボルト挿通孔を、上記一対のうち一方の金具本体における天板の下面に突合せ配置によって他方の金具本体に向けて突出した接続プレートを、該他方の金具本体に該接続プレートを受入れる対向突条と該接続プレートを貫通してその下位に配置した上記上向きボルトのボルト頭を下支えする支持板をそれぞれ配置して、金属の鋳造成形によってボックス状一体に形成してなることを特徴とする折板屋根用連結金具。
【請求項４】
上記天板と底板間に、荷重支持用の補強用起立片を備えてなることを特徴とする請求項１、２又は３に記載の折板屋根用連結金具。
【発明の詳細な説明】
【技術分野】
【０００１】
本発明は、折板屋根（折版屋根といってもよい）に、太陽電池モジュールの支持枠等の載置物を載置固定するに用いる連結金具に関する。
【背景技術】
【０００２】
この種の折板屋根のハゼ継ぎ部に設置して該折板屋根に載置物を固定するに用いる連結金具として、例えば、該連結金具を、相互に突合せ配置して上記ハゼ継ぎ部をその交差方向に挟持する一対の金具本体と、該一対の金具本体をハゼ継ぎ部交差方向にナット締着するＵボルト又は一対のボルトナット連結するＵボルトを備えて形成するとともに上記一対の金具本体を、底板と、該底板の背面から起立した背面板及び正面側に向けて折曲配置した正面突片と、上記背面板から底板に平行に突出し突合せ配置により上向きボルトを挿通する半矩形孔を有する天板とを備え、上記背面板に上記Ｕボルトのボルト孔及び背面板の背面側に向けて折曲配置した補強突片を、上記天板の半矩形孔から中間部を階段状とするように切欠きを配置するとともに該切欠きの端部に天板と上下の段差をなすように段差プレートを突出し且つ該段差プレートの上記切欠き側の側端に逆Ｌ字状をなすように上記上向きボルトのボルト頭を支持する段差プレートと同長の支持突片を配置し、更に背面板の上下中間位置から底板及び正面突片に至る補強リブ、底板、背面板、天板等の各折曲部内側に配置して、鋼板のプレス成形によって一体の断面Ｃ字状に形成したものとしてあり、上記段差プレートをそれぞれ他方の天板下面に挿入し、対向する該段差プレートの逆Ｌ字状の支持突片にボルト頭を載置して、半矩形孔でボルト頭上部を閉鎖し、階段状をなす切欠きを嵌め合うように一対の金具本体を突合せ配置し、底板の正面突片をハゼ継ぎ部に挿入して底板を該ハゼ継ぎ部近傍の平坦部に載置した上、該一対の金具本体をハゼ継ぎ部交差方向に貫通するＵボルトにナットを締着することによって、折板屋根に設置し、上記上向きボルトによって載置物を固定するように用いるものとされる。
【先行技術文献】
【特許文献】
【０００３】
【特許文献１】特開２００９−２８１１１４号公報
【発明の概要】
【発明が解決しようとする課題】
【０００４】
上記特許文献１の連結金具を使用することによって、例えば、太陽電池モジュールの支持枠等の載置物を折板屋根に載置固定することができるが、一方で、該連結金具は、その一対の金具本体を鋼板にプレス成形を施して形成したものとされるために、該鋼板を用いながら、折板屋根のハゼ継ぎ部に連結固定する構造のものとし且つ載置物の荷重支持を行う構造のものとするために、金具本体の構造及び形状が複雑化する傾向を避けることができず、従って生産に当っては、多数のプレス成形を施す必要を生じる上、搬送や工事に際して、金具本体の角部等に外力を受けるとその変形を招き、該金具本体を用いた連結をなし得ないというトラブルも生じる可能性も残る。
【０００５】
本発明はかかる事情に基づいてなされたもので、その解決課題とするところは、可及的簡易な構造にして優れた強度を備えるとともに折板屋根に対する設置を容易且つ確実になし得て良好な使い勝手を確保し、生産も可及的簡易になし得るようにした折板屋根用連結金具を提供するにある。
【課題を解決するための手段】
【０００６】
上記課題に沿って請求項１に記載の発明は、連結金具の主要部をなす一対の金具本体を、鉄系、アルミ系等の金属を用いて底板、側板及び天板を備えたボックス状一体に鋳造形成し、可及的簡易な構造として金具本体の強度を確保するとともに該一対の金具本体に加えて金具本体の突合せ時に該一対の金具本体を接続する接続プレート、金具本体の締着用のボルトナット、載置物を固定する上向きボルトを備えて形成し、天板下面に配置した接続プレートによって接続するとともに対向側板の内面上方にハゼ継ぎ部交差方向に貫通する一対のボルト挿通孔に挿通したＵボルト又は一対のボルトにナットを締着して該一対の金具本体を突合せ配置し、天板下端の係合突起によって折板屋根のハゼ継ぎ部を挟持する一方、上記接続プレートから上向きボルトを金具本体上方に突出し、該上向きボルトによって載置物の載置固定を行うようにし、折板屋根に対する設置を容易且つ確実になし得て良好な使い勝手を確保し、生産も可及的簡易になし得るようにしたものであって、即ち、これを、折板屋根のハゼ継ぎ部に設置して該折板屋根に載置物を固定するに用いる連結金具であって、該連結金具を、相互に突合せ配置して上記ハゼ継ぎ部をその交差方向に挟持する一対の金具本体と、該金具本体を上記ハゼ継ぎ部交差方向に接続する接続プレートと、該一対の金具本体をハゼ継ぎ部交差方向にナット締着するＵボルト又は一対のボルトと、上記載置物を締着するように一対の金具本体から上方に突出配置した上向きボルトを備えて形成するとともに上記一対の金具本体を、折板屋根のハゼ継ぎ部に平行な平坦部に載置する底板と、該底板から上方に起立した対向側板と、該対向側板をその上端で接続し突合せ配置により上向きボルトを挿通する半円孔を有する天板を備え、上記対向側板にハゼ継ぎ部の切欠部と該切欠部下位のハゼ継ぎ部に対接する係合突起を、上記対向側板の内面上方にハゼ継ぎ部交差方向に貫通する一対のボルト挿通孔を、上記天板の下面に上記接続プレートを受入れる対向突条と該対向突条の下位に該接続プレートを貫通してその下位に配置した上記上向きボルトのボルト頭を下支えする支持板とにより中空に形成した中空支持部をそれぞれ配置して、金属の鋳造成形によってボックス状一体に形成してなることを特徴とする折板屋根用連結金具としたものである。
【０００７】
請求項２に記載の発明は、上記金具本体を左右勝手のない同一形状とした単一部材によって形成し、部材の共通化を可能としてその生産、在庫、搬送、設置のメリットを享受したものとするように、これを、上記一対の金具本体を、同一形状の単一部材によって形成することによって共通部材としてなることを特徴とする請求項１に記載の折板屋根用連結金具としたものである。
【０００８】
請求項３に記載の発明は、上記接続プレートを、一対のうち一方の金具本体に接続プレートを一体に配置するとともに他方の金具本体に該一体の接続プレートを受入れる対向突条と該接続プレートを貫通してその下位に配置した上記上向きボルトのボルト頭を下支えする支持板を一体に配置した以外、請求項１に記載の発明と同様に構成して、別体の接続プレートを用いることなく、その部材数を減少したものであって、即ち、これを、折板屋根のハゼ継ぎ部に設置して該折板屋根に載置物を固定するに用いる連結金具であって、該連結金具を、相互に突合せ配置して上記ハゼ継ぎ部をその交差方向に挟持する一対の金具本体と、該一対の金具本体をハゼ継ぎ部交差方向にナット締着するＵボルト又は一対のボルトと、上記載置物を締着するように一対の金具本体から上方に突出配置した上向きボルトを備えて形成するとともに上記一対の金具本体を、折板屋根のハゼ継ぎ部に平行な平坦部に載置する底板と、該底板から上方に起立した対向側板と、該対向側板をその上端で接続し突合せ配置により上向きボルトを挿通する半円孔を有する天板を備え、上記対向側板にハゼ継ぎ部の切欠部と該切欠部下位のハゼ継ぎ部の凹陥溝に挿入係合する係合突起を、上記対向側板の内面上方にハゼ継ぎ部交差方向に貫通する一対のボルト挿通孔を、上記一対のうち一方の金具本体における天板の下面に突合せ配置によって他方の金具本体に向けて突出した接続プレートを、該他方の金具本体に該接続プレートを受入れる対向突条と該接続プレートを貫通してその下位に配置した上記上向きボルトのボルト頭を下支えする支持板をそれぞれ配置して、金属の鋳造成形によってボックス状一体に形成してなることを特徴とする折板屋根用連結金具としたものである。
【０００９】
請求項４に記載の発明は、上記一対の金具本体の天板と底板間に補強用起立片を備えて、ボックス状一体の金具本体を高荷重支持可能のものとするように、これを、上記天板と底板間に、荷重支持用の補強用起立片を備えてなることを特徴とする請求項１、２又は３に記載の折板屋根用連結金具としたものである。
【００１０】
本発明は、これらをそれぞれ発明の要旨として上記課題解決の手段としたものである。
【発明の効果】
【００１１】
本発明は以上のとおりに構成したから、請求項１に記載の発明は、連結金具の主要部をなす一対の金具本体を、鉄系、アルミ系等の金属を用いて底板、側板及び天板を備えたボックス状一体に鋳造形成し、可及的簡易な構造として金具本体の強度を確保するとともに該一対の金具本体に加えて金具本体の突合せ時に該一対の金具本体を接続する接続プレート、金具本体の締着用のボルトナット、載置物を固定する上向きボルトを備えて形成し、天板下面に配置した接続プレートによって接続するとともに対向側板の内面上方にハゼ継ぎ部交差方向に貫通する一対のボルト挿通孔に挿通したＵボルト又は一対のボルトにナットを締着して該一対の金具本体を突合せ配置し、天板下端の係合突起によって折板屋根のハゼ継ぎ部を挟持する一方、上記接続プレートから上向きボルトを金具本体上方に突出し、該上向きボルトによって載置物の載置固定を行うようにし、折板屋根に対する設置を容易且つ確実になし得て良好な使い勝手を確保し、生産も可及的簡易になし得るようにした折板屋根用連結金具を提供することができる。
【００１２】
請求項２に記載の発明は、上記金具本体を左右勝手のない同一形状とした単一部材によって形成し、部材の共通化を可能としてその生産、在庫、搬送、設置のメリットを享受したものとすることができる。
【００１３】
請求項３に記載の発明は、上記接続プレートを、一対のうち一方の金具本体に接続プレートを一体に配置するとともに他方の金具本体に該一体の接続プレートを受入れる対向突条と該接続プレートを貫通してその下位に配置した上記上向きボルトのボルト頭を下支えする支持板を一体に配置して、別体の接続プレートを用いることなく、その部材数を減少することにより、請求項１に記載の発明と同様に、折板屋根に対する設置を容易且つ確実になし得て良好な使い勝手を確保し、生産も可及的簡易になし得るようにした折板屋根用連結金具を提供することができる。
【００１４】
請求項４に記載の発明は、上記一対の金具本体の天板と底板間に補強用起立片を備えて、ボックス状一体の金具本体を高荷重支持可能のものとすることができる。
【図面の簡単な説明】
【００１５】
【図１】連結金具の分解斜視図である。
【図２】連結金具と折板屋根の関係を示す分解側面図である。
【図３】連結金具の設置状態を示す平面図である。
【図４】連結金具の設置状態を示す縦断面図である。
【図５】金具本体の平面図である。
【図６】金具本体の正面図である。
【図７】金具本体の背面図である。
【図８】金具本体の側面図である。
【図９】接続プレートの平面図である。
【発明を実施するための形態】
【００１６】
以下図面の例に従って本発明を更に具体的に説明すれば、Ａは折板屋根用連結金具であり、該折板屋根用連結金具Ａは、折板屋根Ｂのハゼ継ぎ部Ｂ１に設置して該折板屋根Ｂに載置物、例えば、太陽電池モジュール又はその支持枠を固定するに用いるものであって、該連結金具Ａは、これを、相互に突合せ配置して上記ハゼ継ぎ部Ｂ１をその交差方向に挟持する一対の金具本体１と、該金具本体１を上記ハゼ継ぎ部交差方向に接続する接続プレート６と、該一対の金具本体１をハゼ継ぎ部交差方向にナット７１締着するＵボルト又は一対のボルト、本例にあってはＵボルト７と、上記載置物を締着するように一対の金具本体１から上方に突出配置した上向きボルト８を備えて形成するとともに上記一対の金具本体１を、折板屋根Ｂのハゼ継ぎ部Ｂ１に平行な平坦部に載置する底板２と、該底板２から上方に起立した対向側板３と、該対向側板３をその上端で接続し突合せ配置により上向きボルト８を挿通する半円孔４３を有する天板４を備え、上記対向側板３にハゼ継ぎ部Ｂ１の切欠部３１と該切欠部３１下位のハゼ継ぎ部Ｂ１に対接する係合突起３２を、上記対向側板３の内面上方にハゼ継ぎ部交差方向に貫通する一対のボルト挿通孔３３を、上記天板４の下面に上記接続プレート６を受入れる対向突条４５と該対向突条４５の下位に該接続プレート６を貫通してその下位に配置した上記上向きボルト８のボルト頭８１を下支えする支持板４６とにより中空に形成した中空支持部４４をそれぞれ配置して、金属の鋳造成形によってボックス状一体に形成してあり、このとき本例にあって該一対の金具本体１は、これを、同一形状の単一部材によって形成することによって共通部材としたものとしてある。
【００１７】
本例の金具本体１は、例えばアルミ合金によって、肉厚を２〜５ｍｍ程度、本例にあっては３〜４ｍｍ程度の厚肉にして一体に鋳造成形したものとして、任意の２個を対として連結金具Ａとして使用するものとしてあり、該金具本体１は、上記底板２、対向側板３及び天板４を備えて正背面を開放した中空のボックス状としてある。
【００１８】
底板２は、折板屋根Ｂのハゼ継ぎ部長手方向に沿って長寸の平面矩形、例えば長さを１１ｃｍ、幅を４ｃｍ程度とした矩形厚肉のものとするとともに、本例にあって該底板２の背面、即ち、折板屋根Ｂのハゼ継ぎ部Ｂ１側をやや上向きに傾斜乃至湾曲して該背面側の先端に、例えば起立高さを１ｃｍ程度とする底板２全長に亘る起立壁２１を配置したものとしてある。
【００１９】
対向側板３は、該平面矩形の底板２の側端から対向方向に傾斜起立してあり、該傾斜起立は、後述の天板４の５ｃｍ程度の長さの両端に至るように同一傾斜角度、例えば６０度程度の角度をなすように、例えば５ｃｍ程度の高さを有し、底板２と同等の４ｃｍ程度の幅を有するものとしてあり、このとき該対向側板３の背面側、即ち、上記起立壁２１側の下端は、これを上記底板２に合せてやや上向き乃至湾曲するとともに該背面側先端を上記底板２の起立壁２１の起立高さとして該起立壁２１に一体に連続するように係合突起３２を配置してある。該係合突起３２は、対向側板３の上下中間部に、例えば、高さ及び幅を２ｃｍ程度とした矩形状の切欠部３１を配置し、該切欠部３１の下端が係合突起３２の上端をなすようにその配置を行なってある。また、該対向側板３の内面上方には、それぞれ上記折板屋根Ｂのハゼ継ぎ部Ｂ１に直交するように、例えば内径を１ｃｍ弱、外形を１．５ｃｍ程度とするボルト挿通孔３３を、該対向側板３の全長に亘り又は正面側に変位した位置に、例えば、２ｃｍ程度の短寸のものとして配置してある。本例にあって該ボルト挿通孔３３は、対向側板３の上端近傍にして、例えば側板３上端から１．５ｃｍ程度下位の位置に円の中心を配置するようにしてある。
【００２０】
天板４は、上記対向側板３の上端を接続するように上記長さを５ｃｍ、幅を４ｃｍ程度としたものとしてあり、本例にあってその面内中間位置、例えば、幅方向中央位置からやや背面側に変位した位置に６ｍｍ程度のネジ孔４１、本例にあっては皿ネジ用のネジ孔を配置するとともに背面側の端部長手方向中央位置に上向きボルト８のボルト軸の略１／２の半円孔４３を配置してある。
【００２１】
また、該天板４の下面には中空支持部４４を配置してあり、該中空支持部４４は、例えば、天板４の全幅に亘り又は背面側に変位して、例えば３ｃｍ程度の短寸のものとするように、天板４下面から下向きに突出した対向側壁と、該対向側壁の上下中間位置、本例にあっては上下中央位置に配置した一対の対向突条４５と、対向側壁下端を連結した底壁、即ち、後述の上向きボルトのボルト頭を支持する支持板４６を備えた略矩形断面のものとしてあり、本例にあって、該中空支持部４４は、その外形高さを１．５ｃｍ、幅を３ｃｍ程度として、天板４の長手方向中央位置下面に配置したものとしてある。
【００２２】
このとき本例の金具本体１にあって、その上記天板４と底板２間に、荷重支持用の補強用起立片５を備えたものとしてあり、該補強用起立片５は、上記厚肉にして天板４と底板２間、特に天板４下面の上記中空支持部４４の支持板４６と底板２間に、例えば、正面側から幅方向中間位置に至るように、本例にあって３ｃｍ程度の長さを有するものとしてある。
【００２３】
以上の構成による本例の金具本体１は、正面及び背面を台形の形状を呈する上記ボックス状一体のものとしてあり、これによって該金具本体１は、その形状による耐荷重性を備えるとともに、上記補強用起立片５の天板４と底板２間介設による耐荷重性を備えて、極めて強度に優れて、重量の嵩む太陽電池モジュール乃至その支持枠等の載置物の支持に好適なものとしてある。
【００２４】
接続プレート６は、上記中空支持部４４の対向突条４５に受入れ自在とするように、例えば、中空支持部４４の対向壁間内法寸法より僅かに幅狭の２．５ｃｍ程度の幅にして、正背面方向に、長さを、例えば６〜７ｃｍ程度とした平面矩形にして、肉厚を３ｍｍ程度として、上記中空支持部４４の天板４下面と対向突条４５間の高さ寸法より僅かに薄くした厚肉鋼板のプレートによるものとしてある。該接続プレート６には、その長手方向一方に変位した幅方向中央位置に、上向きボルト８のボルト軸を挿通する挿通孔６１を、また、その長手方向一側に変位した幅方向中央位置に雌ネジを有するナット孔６２をそれぞれ透設したものとしてある。
【００２５】
Ｕボルト７は、上記ボルト挿通孔３３に合せた軸径と金具本体１の上記５ｃｍ程度の幅の２倍程度の長さを有する一対のボルト軸を、平面Ｕ字状をなすように備えたものとしてあり、その先端側に、例えば１０〜１０数ｃｍ程度としてそれぞれナット７１を螺装自在とするように部分的な雄ネジを刻設したものを用いてある。
【００２６】
上向きボルト８は、金具本体１の天板４から載置物をナット８２の締着によって金具本体１に載置固定するに必要な長さのボルト軸を、該天板４の上面から起立するように、所定長さ、本例にあっては、例えば５〜６ｃｍの軸長さを有するものとしてある。
【００２７】
以上の金具本体１、接続プレート６、Ｕボルト又は一対のボルト、本例にあってはＵボルト７及び上向きボルト８によって構成した連結金具Ａは、一対のうちの一方の金具本体１に、その中空支持部４４の対向突条４５にスライド載置するように接続プレート６を挿入し、その上記ナット孔６２に、天板４のネジ孔４１からのネジ４２、特に皿ネジを螺着して、該一方の金具本体１に接続プレート６を、その上記挿通孔６１を他方の金具本体１側に突出するように固定するとともに該挿通孔６１に、ボルト頭８１を該接続プレート６の裏面に位置するように上向きボルト８のボルト軸を挿通してあり、このように該上向きボルト８を挿通した状態で、各金具本体１の底板２を折板屋根Ｂのハゼ継ぎ部Ｂ１両側の傾斜又は水平の平坦部に載置し、その金具本体１における各対向側板３の係合突起３２を、本例にあっては、更に底板２の起立壁２１で折板屋根Ｂのハゼ継ぎ部Ｂ１を挟み込むとともに一方の金具本体１から突出した接続プレート６の突出部分を他方の金具本体１の中空支持部４４の対向突条４５にスライド載置するように挿入して、上向きボルト８のボルト頭８１を該他方の金具本体１の中空支持部４４の支持板４６上に受入載置し該上向きボルト８のボルト軸を各天板４の半円孔４３を介して該天板４の上方に突出し、該一対の金具本体４によってハゼ継ぎ部Ｂ１を挟持した状態で突合せ配置し、その後に、一方の金具本体１のボルト挿通孔３３から他方の金具本体１のボルト挿通孔３３を貫通するようにＵボルト７を挿入し、他方の金具本体１側で該Ｕボルト７にナット７１を螺装してその締着を行うようにして、折板屋根Ｂに設置固定するものとしてある。このとき、折板屋根Ｂのハゼ継ぎ部Ｂ１にはその頂部に円形接合部や一方に向けて折曲した折曲接合部があるところ、該接合部は、金具本体の突合せ配置によって、金具本体１の対向側板３に形成した上記切欠部３１に収容する結果、折板屋根Ｂのハゼ継ぎ部Ｂ１、特にその垂直の起立部位を挟持した連結金具Ａの固定が可能となる。このとき、接続プレート６が一対の金具本体１の上下揺動を防止するように該一対の金具本体１を接続し、Ｕボルト７とナット７１による安定且つ確実な締着を可能とするとともに該Ｕボルト７とナット７１の締着によって該一対の金具本体１をハゼ継ぎ部交差方向に単一部材のように一体化して、該ハゼ継ぎ部Ｂ１を挟持することによって安定且つ確実な固定を可能とするようにしてある。また、天板４と底板２間に一体の補強用起立片５を介設したことによって、連結金具Ａの耐荷重性を高度に確保することが可能となる。
【００２８】
該折板屋根Ｂに対する連結金具Ａの固定によって、該連結金具Ａには上方にボルト軸を突出した上向きボルト８が固定されるから、該上向きボルト８を、例えば、載置物乃至その支持枠に透設した挿通孔に挿通し、その上面から該上向きボルト８にナット８２を締着するようにして、該載置物乃至その支持枠を折板屋根に載置固定することができる。
【００２９】
連結金具Ａは、その一対の金具本体１を、アルミ合金の鋳造によって台形をなすようにボックス状に形成したことにより、該金具本体１を可及的簡易な形状と構造としてその鋳造と形状による強度を確保し且つ生産も可及的容易になし得るものとして、これに接続プレート６、Ｕボルト７とそのナット７１、上向きボルト８を用いることによって、折板屋根Ｂに対する設置を容易且つ確実になし得て良好な使い勝手を確保したものとすることができ、また、金具本体１を同一形状の単一部材としたことによって部材の共通化を行い、その生産、在庫、搬送、設置のメリットを享受したものとすることができる。
【００３０】
図示した例は以上のとおりとしたが、上記の接続プレートを用いることなく、一対のうち一方の金具本体における天板の下面に突合せ配置によって他方の金具本体に向けて突出した接続プレートを、該他方の金具本体に該接続プレートを受入れる対向突条と該接続プレートを貫通してその下位に配置した上記上向きボルトのボルト頭を下支えする支持板をそれぞれ配置する形態、即ち、例示的にいえば、接続プレートを一方の金具本体に一体に鋳造配置し、例えば、他方の金具本体に上記と同様の中空支持部を配置し、該接続プレート、特にその突出部を該他方の金具本体の中空支持部の対向突条に受入れ載置するとともに上向きボルトのボルト頭を該中空支持部の支持板上に受入載置する如くにする形態とすることができ、この場合、上記部材の共通化はできないが、一方の金具本体に対する接続プレートの設置を省略することができる一方で、上記と同様な鋳造強度、台形としたときには形状強度、
同じく補強用起立片を一体に介設したときには高度な耐荷重性を確保し、更に、同じく、生産の容易性、安定且つ確実な設置、良好な使い勝手を確保したものとすることができる。
【００３１】
更に、金具本体の鋳造形成を鉄系の金属とすること、金具本体の形状を矩形乃至台形以外の多角形のものとすること、Ｕボルトに代えて一対のボルトナットを用いること等を含めて、本発明の実施に当って、連結金具、載置物、金具本体、Ｕボルト又は一対のボルト、上向きボルト、必要に応じて用いる接続プレート、中空支持部等の各具体的形状、構造、材質、これらの関係、これらに対する付加等は、上記発明の要旨に反しない限り様々な形態のものとすることができる。
【符号の説明】
【００３２】
Ａ  折板屋根用連結金具
Ｂ  折板屋根
Ｂ１  ハゼ継ぎ部
１  金具本体
２  底板
２１  起立壁
３  対向側板
３１  切欠部
３２  係合突起
３３  ボルト挿通孔
４  天板
４１  ネジ孔
４２  ネジ
４３  半円孔
４４  中空支持部
４５  対向突条
４６  支持板
５  補強用起立片
６  接続プレート
６１  挿通孔
６２  ナット孔
７  Ｕボルト
７１  ナット
８  上向きボルト
８１  ボルト頭
８２  ナット
【図１】
2012122240.tif 000003
【図２】
2012122240.tif 000004
【図３】
2012122240.tif 000005
【図４】
2012122240.tif 000006
【図５】
2012122240.tif 000007
【図６】
2012122240.tif 000008
【図７】
2012122240.tif 000009
【図８】
2012122240.tif 000010
【図９】
2012122240.tif 000011